(57)【要約】【要約書】【課題】  板材や線材による従来の箱形の水切りラックにおいては、直方体等のたわしの水切りが良くなく、その箱形とした水切りラックの角部分の汚れをたわしでは落し難くいなどの欠点をなくした水切りラックを提供する。【解決手段】  水切り孔を設けた二枚の板を対向させてその対向する前板の前板底辺部と後板の後板底辺部とを接合して前板の前板上辺部と後板の後板上辺部とを引き離し、その引き離した隔たりを収納口としてＶ字状に形成してその左側と右側との壁板を削除した水切りラック９として形成するもので、前板２の外周の辺と後板４の外周の辺との他に前板底辺部と後板底辺部とを接合している部分だけを線材によって形成した面がなくて線材だけによる水切りラック９とすることが出来る三角柱たわしの水切りラックである。【選択図】  図１
0003160493.tif 000002
【実用新案登録請求の範囲】
【請求項１】
水切り孔を設けた耐水性素材や耐腐蝕性素材による二枚の板を対向させて水切りラックを形成しているものであって、その対向する前板の前板底辺部と後板の後板底辺部とを接合して前板の前板上辺部と後板の後板上辺部とを引き離し、その引き離した隔たりを収納口としてＶ字状に形成し、その左側と右側との壁板を削除した水切りラック９として形成したことを特徴とする三角柱たわしの水切りラック。
【請求項２】
前板底辺部と後板底辺部とを接合している直線部分を少しばかり幅のある板によってラック底部とし、そのラック底部に水切り孔１を設けたことを特徴とする請求項１記載の三角柱たわしの水切りラック。
【請求項３】
前板の外周の辺と後板の外周の辺との他に前板底辺部と後板底辺部との部分を、耐水性や耐腐蝕性の金属類やブラスチック等の線材によって形成した板面がなくて線材だけによる水切りラックとすることを特徴とする請求項１記載の三角柱たわしの水切りラック。
【請求項４】
線材による水切りラックの前側辺線部の下端と後側辺線部の下端とを接合している部分を、水切りラックを形成している一本の線材によって左右に行き違える二本線底部として形成していることを特徴とする請求項３記載の三角柱たわしの水切りラック。
【請求項５】
左右に行き違える二本線底部として形成している部分において、その水切りラックを形成している一本の線材とは別の線材によってラック底部を設けた一本線底部としたことを特徴とする請求項３記載の三角柱たわしの水切りラック。
【請求項６】
二本線底部や一本線底部を削除してラック底部を取り除いて水切りラックを形成していることを特徴とする請求項３記載の三角柱たわしの水切りラック。
【考案の詳細な説明】
【技術分野】
【０００１】
本考案は、台所で使用するスポンジや洗浄材のたわしにおいて、長さのある三角柱の形状としたものであるたわしの水切りラックに関するものである。
【背景技術】
【０００２】
従来の台所で多く使用されている直方体に形成しているスポンジたわし等の水切りラックとしては、開口部と水切り孔を設けた前後左右の壁板と底板とのものや、線材の網目による前後左右の壁部と底部との部分からなる箱形の水切りラックとしているものが一般的に使用されるているものであって、その他のものとしては特許文献１で示されている水切りラックの底の部分を取り除いた状態とした水切りラックも考案されていた。
【先行技術文献】
【特許文献】
【０００３】
【特許文献１】特許第３８９２８９６号公報
【考案の概要】
【考案が解決しようとする課題】
【０００４】
従来の板材や線材による箱形の水切りラックにおいては、直方体や楕円柱などの様々な形状のたわしを平らに収納することが多いもので水切りが速いとは言えず、その箱形の水切りラックが汚れたときの内向きの狭い場所となる壁部と底部の部分や汚れが落し難いとされている網目を洗浄するには苦労する欠点があった。
【０００５】
また、特許文献１である水切りラックの底部の部分を取り除いたラックにおいては、たわしの角部分を下向きにして斜めに収納するものとしており、たわしの水切りを速いものとしているが、底部以外となる前後左右の狭い内側となる壁板や、内側のより狭い角部分の汚れを洗浄することにおいては苦労するものであった。
【課題を解決するための手段】
【０００６】
本考案は、水切り孔１を設けた耐水性素材や耐腐蝕性素材による二枚の板を対向させているものであって、その対向する前板２の前板底辺部３と後板４の後板底辺部５とを接合して前板２の前板上辺部６と後板４の後板上辺部７とを引き離し、その引き離した隔たりを収納口８としてＶ字状に形成しているもので、左側と右側との壁板を削除した水切りラック９として形成している三角柱たわしの水切りラックである。
【０００７】
このＶ字状に形成する後板４には吸盤やフックなどによって流し台１１に取りつけるための吊り掛け孔１２や支え腕１３等を設けられるもので、この水切りラック９に三角柱たわし１４を収納するときにはそのたわしの一つの角辺１５を下にした横倒し状態で収納口８より差し込めば、三角柱たわし１４が前板２と後板４とによって支えられるか、三角柱たわし１４の底面部１６の幅が収納口８の隔たりの幅より広い状態であれば前板２と後板４との両上辺部６，７によって支えられるかして収納することが出来るものである。
【０００８】
他の手段としては、前板２の前板底辺部３と後板４の後板底辺部５とを接合している直線部分を少しばかり幅のある板によってラック底部１０とした構造が考えられ、そのラック底部１０に水切り孔１を設けることやラック底部１０の幅の広さに関しては自由であることで、収納口８の隔たりの幅よりラック底部１０の幅を狭い幅としたものが三角柱たわし１４の収納に適している構造となるものである。
【０００９】
その他の考えとしては、三角柱たわし１４における板材による前板２の外周の辺や後板４の外周の辺だけを耐水性や耐腐蝕性の金属類やブラスチック等の線材によって形成した板面がなくて線材だけによる水切りラック９とする手段によるものが考えられる。
【００１０】
線材によって形成した三角柱たわし１４の水切りラック９における構造は、その前側辺線部１８の下端と後側辺線部２０の下端とを連結している底辺の部分を二本線としたり一本線としたりしてラック底部１０を形成することができものであり、そのラック底部１０を削除した構造のものであっても三角柱たわし１４の収納が出来るもので、その線材による水切りラック９は汚れる部分が非常に少ないものであって、その線状の汚れを洗い落とすときにも一拭きで落すことが出来るもので洗浄は非常に容易となるものである。
【考案の効果】
【００１１】
本考案の水切りラック９に三角柱たわし１４を収納するときには、その三角柱たわし１４の頂点を下向きにするものであるから、三角柱たわし１４に含まれる水分が下向きの頂点に集まって水切りが速やかになる効果がある。
【００１２】
前板２と後板４とからなる水切りラック９が汚れたときには、横板が無いので洗い落とすときの擦り洗い行動を行う際に、行き止まり個所に邪魔されず擦り洗いが容易で汚れも落とし易くなる効果がある。
【００１３】
また、線材による水切りラック９においては、汚れた線材を一拭きの擦り洗いで汚れが落とせ、その構造としている数の少ない線体だけを洗浄するので非常に洗い易くなり、その構造の材料が少なく簡単な構造であることから製造費用が安価なものとなるので生産することが容易となる利点がある。
【００１４】
横幅の短い水切りラック９であっても横板が無いので、横側にはみ出せることから三角柱たわし１４の長さの長いものであっても、その三角柱たわし１４の収納が可能となるものであるから様々な長さとなる三角柱たわし１４の収納に対応することが出来る効果があリ、従来の直方体等のたわしであっても水切りラック９の収納口８や横の長さより大きいものであれば収納が可能となる利点もある。
【図面の簡単な説明】
【００１５】
【図１】前板と後板とによる水切りラックを示す斜視図である。
【図２】流し台に水切りラックを取りつけた状態を示す斜視図である。
【図３】三角柱の角辺を下にして収納口より差し込む状態を示す斜視図である。
【図４】三角柱の幅が収納口の幅より広い場合のラックを示す斜視図である。
【図５】ラック底部を板とした状態を示す斜視図である。
【図６】水切りラックを1本線の線材によって形成した状態を示す斜視図である。
【図７】ラック底部を1本線の線材によって形成した状態を示す斜視図である。
【図８】線材による水切りラックの底部を削除した状態を示す斜視図である。
【考案を実施するための形態】
【実施例１】
【００１６】
本考案は、図１に示すように、水切り孔１を設けた耐水性素材や耐腐蝕性素材による二枚の板を対向させているものであって、その対向する前板２の前板底辺部３と後板４の後板底辺部５とを接合して前板２の前板上辺部６と後板４の後板上辺部７とを引き離したものとし、その引き離した隔たりを収納口８としてＶ字状に形成することで左右の壁板を削除した水切りラック９とした構造としているものである。
【００１７】
この対向する前板２と後板４とにおいて、水切り孔１を設けないものとして形成しても良いもので、その前板底辺部３と後板底辺部５とを接合しているラック底部１０を傾斜させることでラック底部１０から水切りされた水分を速やかに排出することが出来るものとすることが考えられる。
【００１８】
本考案の水切りラックが頼りなく見えるが、その前後板底辺部３，５を接合しているラック底部１０や前板２と後板４とを厚めの板とすることで収納口８の開き破損を安定させることが出来るものであり、その収納口８の開き破損を起す重いスポンジたわしは使用されていないことからも開き破損を起すことが無いと考えられる。
【００１９】
そして、このラック底部１０において水切り孔１を設けることが考えられ、このＶ字状に形成する後板４には吸盤などによって、図２に示すように、流し台１１に取りつけるための吊り掛け孔１２や支え腕１３を設けることが出来るもであり、この水切りラック９に三角柱たわし１４を収納するときにおいては、図３に示すように、三角柱たわし１４の一つの角辺１５を下にした横倒し状態で収納口８より差し込むものであって、三角柱たわし１４が前板２と後板４とによって支えられるものである。
【００２０】
それから、図４に示すように、三角柱たわし１４の底面部１６の幅が収納口８の隔たりの幅より広い状態であれば、前板２と後板４との前後板上辺部６，７によって支えられて収納することが出来るものであり、水切りラック９の横幅が短いものであってもその水切りラック９の横幅より長さのある三角柱たわし１４であれば収納することが出来るものでもある。
【実施例２】
【００２１】
他の実施例としては、図５に示すように、前板２の前板底辺部３と後板４の後板底辺部５とを接合している直線部分を幅のある板によってラック底部１０とした構造が考えられるもので、そのラック底部１０に水切り孔１を設け、そのラック底部１０の幅の広さは自由であるが、収納口８の隔たりの幅より狭い幅のものが三角柱たわし１４の収納に適している構造としている。
【実施例３】
【００２２】
その他としては、線材による実施例が考えられるもので、前板２の外周の辺や後板４の外周の辺を耐水性や耐腐蝕性の金属類やブラスチック等の線材によって板面の無い枠体だけで形成した水切りラック９とすることが考えられるもので、前上辺線部１７の左右から前側辺線部１８を設けて前板２に替えたものであって、後板４に替えるものとしては後上辺線部１９の左右に後側辺線部２０を設けているものである。
【００２３】
そして、前側辺線部１８の下端と後側辺線部２０の下端とを連結している底辺の部分における線材は、図６に示すように、一本の線材によって左右に行き違える二本線底部２１として形成することができ、その後板上辺部７から線材を延長したもので吊り掛け孔１２や支え腕１３を形成することが考えられるものである。
【００２４】
また、底辺の部分における線材は、図７に示すように、水切りラック９を形成している一本の線材とは別の線材によって一本線底部２２を溶着やかがり止め等によって形成することもできるものであり、更には、図８に示すように、一本線底部２２を設けずに長方形としたものを二つ折りにしたＶ字状の水切りラック９やＶ字状の下端に丸みを持たせた水切りラック９として形成することが考えられる。
【００２５】
長方形を二つ折りにしたＶ字状の水切りラック９としたものは、見た目には三角柱たわし１４を収納することが出来ないように見えるが、三角柱たわし１４の長さが対向している左右側辺線部１８，２０の間隔より長いものや前後上辺線部１７，１８の隔たりとなる収納口８の幅より広い幅のものであれば収納することが出来るものである。
【００２６】
線材による水切りラック９における収納機能は、底辺の部分によって保持するものではなく、底辺の部分を除く上左右の線材によって保持しているものであるから、三角柱たわし１４を収納することが可能となるもので、従来の直方体等のたわしであっても横幅や長さの条件が適応するものであれば収納が出来るものであり、収納口８の安定性に不安を感じるのであれば線材を太くしたり硬度の高い線材によって製造することや後板４の側辺や左右側辺線部１８，２０より後側に向けて突出する足部２３を設けることによって安定性を加えることで不安を無くすことが考えられる。
【００２７】
本考案の水切りラック９は、前板２と後板４とに設ける水切り孔１を丸孔や線孔と様々な形状としたり曲線や図形的に形成したりした水切り孔１とすることが考えられるものであり、また、線材によって形成されている直線部分を曲線や図形的な線によって外観に趣向を施すことが考えられるものである。
【符号の説明】
【００２８】
１  水切り孔
２  前板
３  前板底辺部
４  後板
５  後板底辺部
６  前板上辺部
７  後板上辺部
８  収納口
９  水切りラック
１０  ラック底部
１１  流し台
１２  吊り掛け孔
１３  支え腕
１４  三角柱たわし
１５  角辺
１６  底面部
１７  前上辺線部
１８  前側辺線部
１９  後上辺線部
２０  後側辺線部
２１  二本線底部
２２  一本線底部
２３  足部
【図１】
0003160493.tif 000003
【図２】
0003160493.tif 000004
【図３】
0003160493.tif 000005
【図４】
0003160493.tif 000006
【図５】
0003160493.tif 000007
【図６】
0003160493.tif 000008
【図７】
0003160493.tif 000009
【図８】
0003160493.tif 000010
【手続補正書】
【提出日】平成22年2月24日(2010.2.24)
【手続補正１】
【補正対象書類名】実用新案登録請求の範囲
【補正対象項目名】請求項３
【補正方法】変更
【補正の内容】
【請求項３】
前板の外周の辺と後板の外周の辺との他に前板底辺部と後板底辺部との部分を、耐水性や耐腐蝕性の金属類やプラスチック類の線材によって形成した板面がなくて線材だけによる水切りラックとすることを特徴とする請求項１記載の三角柱たわしの水切りラック。
【手続補正２】
【補正対象書類名】実用新案登録請求の範囲
【補正対象項目名】請求項５
【補正方法】変更
【補正の内容】
【請求項５】
左右に行き違える二本線底部として形成している部分において、その水切りラックを形成している一本の線材とは別の線材によってラック底部を設けた一本線底部としたことを特徴とする請求項４記載の三角柱たわしの水切りラック。
【手続補正３】
【補正対象書類名】実用新案登録請求の範囲
【補正対象項目名】請求項６
【補正方法】変更
【補正の内容】
【請求項６】
二本線底部や一本線底部を削除してラック底部を取り除いて水切りラックを形成していることを特徴とする請求項４記載の三角柱たわしの水切りラック。
【手続補正書】
【提出日】平成22年4月6日(2010.4.6)
【手続補正１】
【補正対象書類名】実用新案登録請求の範囲
【補正対象項目名】全文
【補正方法】変更
【補正の内容】
【実用新案登録請求の範囲】
【請求項１】
水切り孔を設けた耐水性素材や耐腐蝕性素材による二枚の板を対向させて水切りラックを形成しているものであって、その対向する前板の前板底辺部と後板の後板底辺部とを接合して前板の前板上辺部と後板の後板上辺部とを引き離し、その引き離した隔たりを収納口としてＶ字状に形成し、その左側と右側との壁板を削除した水切りラックとして形成したことを特徴とする三角柱たわしの水切りラック。
【請求項２】
前板底辺部と後板底辺部とを接合している直線部分を少しばかり幅のある板によってラック底部とし、そのラック底部に水切り孔１を設けたことを特徴とする請求項１記載の三角柱たわしの水切りラック。
【請求項３】
前板の外周の辺と後板の外周の辺との他に前板底辺部と後板底辺部との部分を、耐水性や耐腐蝕性の金属やプラスチックの線材によって形成した板面がなくて線材だけによる水切りラックとすることを特徴とする請求項１記載の三角柱たわしの水切りラック。
【請求項４】
線材による水切りラックの前側辺線部の下端と後側辺線部の下端とを接合している部分を、水切りラックを形成している一本の線材によって左右に行き違える二本線底部として形成していることを特徴とする請求項３記載の三角柱たわしの水切りラック。
【請求項５】
左右に行き違える二本線底部として形成している部分において、その水切りラックを形成している一本の線材とは別の線材によってラック底部を設けた一本線底部としたことを特徴とする請求項３記載の三角柱たわしの水切りラック。
【請求項６】
前板底辺部と後板底辺部との部分を削除して、ラック底部を取り除いて水切りラックを形成していることを特徴とする請求項３記載の三角柱たわしの水切りラック。